(57)【要約】【課題】本発明は、入力撮像データの内容を示唆する内容文字情報ＴＸｃを取得することができる。【解決手段】本発明は、所定の抽出方法に従って入力撮像データを構成する画像から当該画像の特徴を表す入力映像特徴データＴＳを抽出し、代表画像データＰＤｒから入力映像特徴データＴＳと同一の抽出方法に従って抽出された代表特徴データＤＳｒと、代表画像データＰＤｒの内容を表す画像テキスト情報ＴＸとが対応付けられて登録された画像テキストデータベース４２から、入力映像特徴データＴＳと類似する蓄積特徴データＤＳａを検出する。さらに入直映像特長データＴＳの抽出元となる画像（入力映像信号ＴＳ）の内容を表す内容文字情報ＴＸｃとして、検出された蓄積特徴データＤＳａに対応する画像テキスト情報ＴＸを画像テキストデータベース４２から取得するようにする。【選択図】図１０
2008109290.tif 000002
【特許請求の範囲】
【請求項１】
所定の抽出手法に従って映像コンテンツを構成する画像から当該画像の特徴を表すコンテンツ特徴情報を抽出する抽出ステップと、
任意の画像から上記抽出手法に従って抽出された任意画像特徴情報と上記任意の画像の内容を表す画像テキスト情報とが対応付けて登録されたデータベースから、上記コンテンツ特徴情報と類似する上記任意画像特徴情報を検出する検出ステップと、
上記コンテンツ特徴情報の抽出元となった画像の内容を表す内容文字情報として、上記検出ステップにおいて検出された上記任意画像特徴情報に対応付けられた上記画像テキスト情報を上記データベースから取得する取得ステップと
を具えることを特徴とする内容文字情報取得方法。
【請求項２】
上記検出ステップでは、
上記コンテンツ特徴情報と類似する上記任意画像特徴情報のうち、上記コンテンツ特徴情報と最も類似する上記任意画像特徴情報を検出する
ことを特徴とする請求項１に記載の内容文字情報取得方法。
【請求項３】
上記検出ステップでは、
上記任意画像特徴情報をベクトルとして表したとき、上記コンテンツ特徴情報を表すベクトルとの距離が最小となる上記任意画像特徴情報を、上記コンテンツ特徴情報と最も類似する上記任意画像特徴情報として検出する
ことを特徴とする請求項２に記載の内容文字情報取得方法。
【請求項４】
上記映像コンテンツは、
所定の外部装置から供給されると共に所定の記録部に記録され、
上記抽出ステップでは、
上記外部装置から供給される上記映像コンテンツを構成する上記画像からコンテンツ特徴情報を抽出する
ことを特徴とする請求項１に記載の内容文字情報取得方法。
【請求項５】
上記映像コンテンツを管理する管理リストに上記内容文字情報を登録する登録ステップ
を具えることを特徴とする請求項１に記載の内容文字情報取得方法。
【請求項６】
上記登録ステップでは、
上記取得ステップにおいて取得された上記内容文字情報のうち、取得された回数の多い順に所定の登録数だけ選定された上記内容文字情報を上記管理リストに登録する
ことを特徴とする請求項５に記載の内容文字情報取得方法。
【請求項７】
上記検出ステップでは、
検出された上記任意画像特徴情報と、上記コンテンツ特徴情報との相関値を算出し、
上記登録ステップでは、
上記取得ステップにおいて取得された上記内容文字情報を、上記相関値の高い順に上記管理リストに登録する
ことを特徴とする請求項５に記載の内容文字情報取得方法。
【請求項８】
上記映像コンテンツの内容を表示するタイトルの候補として、上記管理リストに登録された上記内容文字情報を表示装置に表示させるタイトル候補表示ステップ
を具えることを特徴とする請求項５に記載の内容文字情報取得方法。
【請求項９】
上記タイトル候補表示ステップでは、
上記映像コンテンツが一覧表示された一覧画面を表示すると共に、一覧表示された上記映像コンテンツのうち、ユーザによって一の映像コンテンツが選択された場合に、選択された上記一の映像コンテンツに対応する上記内容文字情報を、上記候補として表示装置に表示させる
ことを特徴とする請求項８に記載の内容文字情報取得方法。
【請求項１０】
上記表示装置に表示させた上記内容文字情報から一の上記内容文字情報をユーザに選定させる選定ステップと、
上記選定ステップにおいて選定された上記一の内容文字情報を、上記映像コンテンツに対するタイトルとして上記管理リストに登録するタイトル登録ステップと
を具えることを特徴とする請求項８に記載の内容文字情報取得方法。
【請求項１１】
上記タイトル候補表示ステップでは、
上記映像コンテンツが一覧表示された一覧画面を表示すると共に、上記タイトル登録ステップにより上記タイトルが上記管理リストに登録されている場合には、上記一覧画面に当該タイトルを表示する一方、上記タイトルが上記管理リストに登録されていない場合には、所定の選定方法によって選定した一の内容文字情報を上記タイトルとして表示する
ことを特徴とする請求項１０に記載の内容文字情報取得方法。
【請求項１２】
上記タイトル候補表示ステップでは、
上記取得ステップにおいて最も多く取得された上記内容文字情報を選定し、上記一の内容文字情報とする
ことを特徴とする請求項１１に記載の内容文字情報取得方法。
【請求項１３】
コンピュータに対して、
所定の抽出手法に従って映像コンテンツを構成する画像から当該画像の特徴を表すコンテンツ特徴情報を抽出する抽出ステップと、
任意の画像から上記抽出手法に従って抽出された任意画像特徴情報と上記任意の画像の内容を表す画像テキスト情報とが対応付けて登録されたデータベースから、上記コンテンツ特徴情報と類似する上記任意画像特徴情報を検出する検出ステップと、
上記コンテンツ特徴情報の抽出元となった画像の内容を表す内容文字情報として、上記検出ステップにおいて検出された上記任意画像特徴情報に対応付けられた上記画像テキスト情報を上記データベースから取得する取得ステップと
を実行させることを特徴とする内容文字情報取得プログラム。
【請求項１４】
所定の抽出手法に従って映像コンテンツを構成する画像から当該画像の特徴を表すコンテンツ特徴情報を抽出する特徴情報抽出部と、
任意の画像から上記抽出手法に従って抽出された任意画像特徴情報と上記任意の画像に対応する画像テキスト情報とが対応付けて登録されたデータベースから、上記コンテンツ特徴情報と類似する上記任意画像特徴情報を検出する特徴情報検出部と、
上記コンテンツ特徴情報の抽出元となった画像の内容を表す内容文字情報として、上記特徴情報検出部によって検出された上記任意画像特徴情報に対応付けられた上記画像テキスト情報を上記データベースから取得するテキスト取得部と
を具えることを特徴とする内容文字情報取得装置。
【請求項１５】
外部装置から供給される映像コンテンツを記録する記録部と、
所定の抽出手法に従って映像コンテンツを構成する画像から当該画像の特徴を表すコンテンツ特徴情報を抽出する特徴情報抽出部と、
任意の画像から上記抽出手法に従って抽出された任意画像特徴情報と上記任意の画像に対応する画像テキスト情報とが対応付けて登録されたデータベースから、上記コンテンツ特徴情報と類似する上記任意画像特徴情報を検出する特徴情報検出部と、
上記コンテンツ特徴情報の抽出元となった画像の内容を表す内容文字情報として、上記特徴情報検出部によって検出された上記任意画像特徴情報に対応付けられた上記画像テキスト情報を上記データベースから取得するテキスト取得部と、
上記記録部に記録された上記映像コンテンツを管理する管理リストに上記内容文字情報を登録する登録部と
を具えることを特徴とする映像コンテンツ記録装置。
【発明の詳細な説明】
【背景技術】
【０００１】
従来、ハードディスクレコーダにおいては、テレビジョン放送番組を録画するだけでなく、当該テレビジョン放送番組を管理する管理リストを自動的に作成し、タイトル及び内容を表すテキスト情報などを当該管理リストに登録すると共に、一覧表示やテレビジョン放送番組の検索などに利用するようになされたものがある。
【０００２】
このようなハードディスクレコーダでは、例えば地上波ディジタル放送で配信される放送信号からテレビジョン放送番組の配信予定やタイトル、内容などを表すＥＰＧ（Electric Program Guide）情報をテキスト情報として取得するようになされている。
【０００３】
また、ハードディスクレコーダの中には、インターネット等などを介して配信されるストリーミングコンテンツを管理する管理リストに登録して検索などに利用することを目的として、ストリーミングコンテンツが有するテキスト情報を取得するようになされたものが提案されている（例えば、特許文献１参照）。
【特許文献１】特開２００３−３６２５９公報
【発明の開示】
【発明が解決しようとする課題】
【０００４】
ところでハードディスクレコーダは、映像コンテンツとして地上波ディジタル放送番組やストリーミングコンテンツだけでなく、例えばビデオカメラで撮像された撮像データや、ユーザ自身が編集した編集データなどのプライベートデータも記録することができるようになされている。このプライベートデータは、タイトルや内容を表すテキスト情報などが付加されていないため、プライベートデータの内容を表すテキスト情報を取得することができないという問題があった。
【０００５】
本発明は以上の点を考慮してなされたもので、映像コンテンツの内容を示唆する内容文字情報を取得し得る内容文字情報取得方法、内容文字情報取得プログラム、内容文字情報取得装置及び映像コンテンツ記録装置を提案しようとするものである。
【課題を解決するための手段】
【０００６】
かかる課題を解決するため本発明においては、所定の抽出手法に従って映像コンテンツを構成する画像から当該画像の特徴を表すコンテンツ特徴情報を抽出し、任意の画像から抽出手法に従って抽出された任意画像特徴情報と任意の画像の内容を表す画像テキスト情報とが対応付けて登録されたデータベースから、コンテンツ特徴情報と類似する任意画像特徴情報を検出し、コンテンツ特徴情報の抽出元となった画像の内容を表す内容文字情報として、検出された任意画像特徴情報に対応する画像テキスト情報をデータベースから取得するようにした。
【０００７】
これにより、データベースから映像コンテンツを構成する画像の内容を表す内容文字情報を取得することができる。
【０００８】
さらに本発明の映像コンテンツ記録装置では、映像コンテンツを記録する記録部と、所定の抽出手法に従って映像コンテンツを構成する画像から当該画像の特徴を表すコンテンツ特徴情報を抽出する特徴情報抽出部と、任意の画像から抽出手法に従って抽出された任意画像特徴情報と任意の画像に対応する画像テキスト情報とが対応付けて登録されたデータベースから、コンテンツ特徴情報と類似する任意画像特徴情報を検出する特徴情報検出部と、コンテンツ特徴情報の抽出元となった画像の内容を表す内容文字情報として、特徴情報検出部によって検出された任意画像特徴情報に対応する画像テキスト情報をデータベースから取得するテキスト取得部とを設けるようにした。
【０００９】
これにより、データベースから映像コンテンツを構成する画像の内容を表す内容文字情報を取得することができる。
【発明の効果】
【００１０】
本発明によれば、データベースから映像コンテンツを構成する画像の内容を表す内容文字情報を取得することができ、かくして映像コンテンツの内容を示唆する内容文字情報を取得し得る内容文字情報取得方法、内容文字情報取得プログラム、内容文字情報取得装置及び映像コンテンツ記録装置を実現できる。
【発明を実施するための最良の形態】
【００１１】
以下、図面について、本発明の一実施の形態を詳述する。
【００１２】
（１）ハードディスクレコーダの全体構成
図１において１は、全体としてハードディスクレコーダを示し、図示しないビデオカメラから入力される映像コンテンツとしての撮像データを記録したり、地上波ディジタル放送のテレビジョン放送番組を受信して録画し得るようになされている。
【００１３】
このハードディスクレコーダ１では、図示しないＣＰＵ（Central Processing Unit ）、ＲＯＭ（Read Only Memory）及びＲＡＭ（Random Access Memory）から構成される制御部２がハードディスクレコーダ１の全体を統括的に制御するようになされている。制御部２は、ＲＯＭ又はハードディスクドライブ４に格納されている基本プログラムやデータベース生成プログラム、タイトル候補表示プログラム等をＲＡＭに展開することによって、これらのプログラムに基づいて各種処理や後述するテキストデータベース生成処理、タイトル候補表示処理を実行するようになされている。
【００１４】
このハードディスクレコーダ１は、外部のリモートコントローラ３０の操作によりユーザから各種要求がなされた場合、このリモートコントローラ３０によって生成された操作信号をリモートコントローラインターフェース１０を介して取得し、これを制御部２へ供給するようになされている。
【００１５】
例えば、外部インターフェース１１に接続されたビデオカメラ（図示せず）が有する撮像データを記録する旨の記録要求を表す操作信号がリモートコントローラインターフェース１０から供給されると、制御部２は、撮像データの記録処理を実行する。
【００１６】
すなわち制御部２は、外部インターフェース１１を介してビデオカメラ（図示せず）から入力される入力撮像データを記録済撮像データとしてハードディスクドライブ４に記録する。このとき制御部２は、この記録済撮像データにシリアル番号などでなる撮像データＩＤを付加する。
【００１７】
さらに制御部２は、撮像データＩＤに関連付けて、撮像データに付加されている例えば撮像された日時や編集された日時などを表す撮像日時情報と、外部インターフェース１１が有する入力端子のうち、いずれの入力端子から入力されたかを表す入力情報とを登録することにより、管理リストとしての撮像データ管理リスト４３（詳しくは後述する）を作成し、これをフラッシュメモリ５に記録する。
【００１８】
また、ハードディスクドライブ４に記録されている記録済撮像データを再生する旨の再生要求を表す操作信号がリモートコントローラインターフェース１０から供給されると、制御部２は、記録済撮像データの再生処理を実行する。
【００１９】
すなわち、制御部２は、ハードディスクドライブ４からユーザの指定した記録済撮像データを読み出すと共に、記録済撮像データのうち、映像データである再生映像データを映像デコーダ１２へ、音声データを音声デコーダ１３へ送出する。
【００２０】
制御部２は、再生映像データを映像デコーダ１２によって所定の復号方式に従って復号し、この復号された再生映像信号ＤＰに対して映像信号処理回路１４によってアナログ信号への変換処理やミキシング処理等を実行し、これを映像出力端子１６へ送出する。この結果、制御部２は、映像出力端子１６に接続された図示しない表示装置に再生映像信号ＤＰに基づく映像を表示させる。
【００２１】
また制御部２は、音声データを音声デコーダ１３によって所定の復号方式に従って復号し、この復号された音声信号をディジタルアナログ変換器１５によってアナログ信号へ変換し、音声出力端子１７へ送出する。この結果、制御部２は、音声出力端子１７に接続された図示しないスピーカからこの音声データに基づく音声を出力させる。
【００２２】
このように、ハードディスクレコーダ１は、外部インターフェース１１から入力される撮像データなどの映像コンテンツを記録及び再生するようになされている。
【００２３】
さらに、現在放送中のテレビジョン放送番組を録画する旨の録画要求を表す操作信号がリモートコントローラインターフェース１０から供給されると、制御部２は、現在放送中のテレビジョン放送番組を受信すると共に当該テレビジョン放送番組の録画処理を実行する。
【００２４】
すなわち、制御部２は、選局された周波数帯域のディジタル放送信号をチューナ２１によって選択して受信し、当該ディジタル放送信号を復調器２２へ送出する。制御部２は、このディジタル放送信号を復調器２２によって復調し、この復調されたディジタル放送信号のスクランブルをデスクランブラ２３によって解除し、このスクランブルを解除されたディジタル放送信号を多重分離器２４によって放送映像データ、音声データ及びＥＰＧ情報のパケットに分離する。そして制御部２は、放送映像データ及び音声データを録画済番組としてハードディスクドライブ４に記録する。
【００２５】
さらに制御部２は、録画処理を終了する際、内部時計２５から取得されるテレビジョン放送番組の録画日時、ＥＰＧ（Electric Program Guide）情報から抽出された録画済番組のタイトル情報、録画済番組の内容を表す番組テキスト情報等を登録することにより、録画済番組管理リストを作成し、これをフラッシュメモリ５に記録する。
【００２６】
また、ハードディスクドライブ４に記録された録画済番組の一覧を表示する旨の表示要求を表す操作信号がリモートコントローラインターフェース１０から供給されると、制御部２は、フラッシュメモリ５から録画済番組管理リストを読み出すと共に、当該録画済番組管理リストに基づく画像データを生成し、これを映像デコーダ１２へ送出する。この結果、制御部２は、記録済撮像データの再生処理と同様の処理によってこの録画済番組管理リストに基づく番組一覧表を表示装置（図示せず）に表示させる。
【００２７】
このようにハードディスクレコーダ１は、外部インターフェース１１を介して入力される撮像データの記録処理及び再生処理に加えて、放送中のテレビジョン放送番組を記録済番組として録画すると共に、ユーザの要望に応じて、ＥＰＧ情報を用いて自動的に生成した録画済番組管理リストに基づき録画済番組管理リストのタイトル情報などを含む番組一覧表を表示装置に表示させ得るようになされている。
【００２８】
（２）画像テキストデータベースの生成
ところで、上述したように外部インターフェース１１を介して入力される撮像データには撮像データのタイトルや内容を表すテキスト情報が付加されていないため、従来のハードディスクレコーダでは、撮像データが記録された段階で、記録済撮像データの内容を表すようなタイトルや撮像データの内容を示唆するようなテキスト情報を撮像データ管理リスト４３に自動的に登録することができなかった。
【００２９】
ここで一般的に、撮像データなどの映像データから画像の特徴を表す特徴情報を抽出する様々な技術が知られており、この特徴情報を用いて画像間の類似性を判断することができる手法が提案されている。複数の画像が互いに類似している場合、これらの画像が表す内容はほぼ同一であると考えられることから、一の画像の内容を表すテキスト情報は、類似すると判断された他の画像に対する内容をも表している可能性が高いと考えられる。
【００３０】
従ってハードディスクレコーダ１は、仮に画像の特徴情報に対応する画像テキスト情報が登録されたデータベースを有していれば、当該特徴情報を用いて当該記録済画像データが有する画像と類似する画像をデータベースから検出し、検出された画像の特徴情報に対応する画像テキスト情報を記録済撮像データの内容を示唆する内容文字情報として利用できると考えられる。
【００３１】
そこで本実施の形態におけるハードディスクレコーダ１は、画像の特徴情報に対応する画像テキスト情報ＴＸが登録された画像テキストデータベース４２を生成するようになされている。次に、この画像テキストデータベース４２を生成するデータベース生成処理について説明する。このデータベース生成処理においてハードディスクレコーダ１の制御部２は、データベース生成プログラムを実行することにより図２に示すような機能ブロックを実現するようになされている。
【００３２】
ハードディスクレコーダ１は、例えばハードディスクドライブ４（図１）に記録された記録済撮像データの再生処理を実行する際に、再生処理と並行してデータベースの生成処理を実行するようになされている。
【００３３】
すなわちハードディスクレコーダ１の制御部２は、映像デコーダ１２によって復号化された再生映像信号ＤＰを映像信号処理回路１４に供給させ、この再生映像信号ＤＰに基づく画像を表示装置（図示せず）に表示させると共に、図２に示すように再生映像信号ＤＰを制御部２の画像解析部３１及び代表画像選出部３３に供給させる。
【００３４】
画像解析部３１は、記録済撮像データを構成する各フレーム画像の特徴を表す特徴情報として、再生映像信号ＤＰから再生映像特徴データＤＳを抽出し、これを識別子付加部３２及び代表画像選出部３３に供給する。
【００３５】
すなわち画像解析部３１は、再生映像信号ＤＰが供給されると、例えば再生映像信号ＤＰが有する各フレーム画像を５×５の２５の領域に分割し、この領域ごとに輝度信号（Ｙ信号）のＤＣＴ（Discrete Cosine Transform）係数を算出する。そして２５の領域に対応するＤＣ係数を２５次のベクトルとして表し、これをフレーム画像単位ごとの再生映像特徴データＤＳとする。
【００３６】
識別子付加部３２は、撮像データに固有の撮像データＩＤに対して例えば通し番号を付加して特徴情報識別子Ｔｉｄを生成し、再生映像特徴データＤＳに当該特徴情報識別子Ｔｉｄを付加すると、これらをフラッシュメモリ５の特徴データ記録部４１に供給すると共に、図示しないＲＡＭに一時記録する。
【００３７】
特徴データ記録部４１は、特徴情報識別子Ｔｉｄの付加された再生映像特徴データＤＳが供給されると、この特徴情報識別子Ｔｉｄと再生映像特徴データＤＳとを関連付けた状態で、全ての再生映像特徴データＤＳを蓄積特徴データＤＳａとして記録する。
【００３８】
一方代表画像選出部３３は、画像解析部３１から供給される再生映像特徴データＤＳから代表特徴データＤＳｒを選出して識別子特定部３４に送出する。
【００３９】
すなわち代表画像選出部３３は、例えば前後２つの再生映像特徴データＤＳ間におけるベクトルとしての距離（以下、これを前後間距離と呼ぶ）を算出し、この前後間距離が所定のシーンチェンジ閾値以上となる再生映像特徴データＤＳの組み合わせを検出する。
【００４０】
このとき代表画像選出部３３は、前後間距離がシーンチェンジ閾値以上となる再生映像特徴データＤＳの組み合わせを検出すると、前後２つの特徴データのうち、後ろの再生映像特徴データＤＳの元となるフレーム画像が前の再生映像特徴データＤＳの元となるフレーム画像からシーンチェンジしたと判断し、この後ろの再生映像特徴データＤＳを代表特徴データＤＳｒとする。
【００４１】
ここで一般的に、撮像データのような動画コンテンツは、類似する画像ごとのブロックによって構成されている。従って、代表画像選出部３３は、シーンチェンジを検出することにより、各ブロックを代表する画像から抽出された再生映像特徴データＤＳを代表特徴データＤＳｒとすることができる。
【００４２】
識別子特定部３４は、代表画像選定部３３から代表特徴データＤＳｒが供給されると、特徴情報識別子Ｔｉｄが付加された再生映像特徴データＤＳと代表特徴データＤＳｒとを照合し、代表特徴データＤＳｒと合致した再生映像特徴データＤＳの特徴情報識別子Ｔｉｄを、代表特徴データＤＳｒの特徴情報識別子Ｔｉｄ（以下、これを代表特徴情報識別子Ｔｉｄｒと呼ぶ）として特定し、これをテキスト付加部３５及び代表画像選出部３３に送出する。
【００４３】
そして記録済撮像データの再生処理が終了すると、代表画像選出部３３は、代表特徴情報識別子Ｔｉｄｒを用いて代表特徴データＤＳｒの抽出元となった再生映像特徴データＤＳ（以下、これを代表画像データＰＤｒと呼ぶ）を特定し、図示しないＲＯＭから読み出された画像データに対してこの代表画像データＰＤｒを重畳することにより、テキスト入力画像データＰＤｎを生成し、これを映像信号処理回路１４に送出する。
【００４４】
この結果図３に示すように、ハードディスクレコーダ１は、図示しない表示装置にテキスト入力画面５０を表示させ得るようになされている。
【００４５】
このテキスト入力画面５０では、代表画像データＰＤｒに基づく代表画像５１が表示されると共に、例えば「画像の内容を示す言葉を入力してください」と表示されることにより、ユーザにテキスト入力画面５０の下部分に表示されたテキスト入力欄５２に代表画像５１に対応する画像テキスト情報ＴＸを入力させるようになされている。
【００４６】
このときテキスト入力画面５０では、右部分に表示された３つのボタンの内、一番上のキーボードボタン５３にカーソルを配置しており、カーソルが配置されたキーボードボタン５３を他のボタンとは異なる色で表示している。
【００４７】
ここで、キーボードボタン５３にカーソルが配置された状態でリモートコントローラ３０の図示しない決定ボタンが押下されると、図４に示すように代表画面選出部３３は、図示しないＲＯＭから読み出した画像データに基づいて、キーボード画面６０を表示装置に表示させる。
【００４８】
キーボード画面６０には、テキスト入力画面５０と同様に下部分にテキスト入力欄５２が表示されると共に、戻るボタン６１若しくは平仮名が５０音順に一覧表示されたキーボードボタン群６２のいずれかにカーソルが配置されている。
【００４９】
代表画面選出部３３（図２）は、リモートコントローラ３０（図１）の図示しない矢印ボタン及び決定ボタンを用いてユーザにキーボードボタン群６２のいずれかのボタンを選択させることにより、ユーザに代表画像５１と対応する画像テキスト情報ＴＸを入力させ得るようになされている。
【００５０】
また代表画面選出部３３は、キーボード画面６０の戻るボタン６１にカーソルが配置された状態でリモートコントローラ３０の決定ボタンが押下されると、表示装置にテキスト入力画面５０（図３）を再度表示させる。
【００５１】
そしてリモートコントローラ３０の図示しない矢印ボタンが押下されることにより、リモートコントローラインターフェース１０から操作信号が供給されると、代表画面選出部３３は、キーボードボタン５３に配置されていたカーソルを決定ボタン５４、中止ボタン５５に順次移動させる。
【００５２】
ここで、決定ボタン５４にカーソルが配置された状態でリモートコントローラ３０（図１）の図示しない決定ボタンが押下されると、制御部２（図２）は、入力された画像テキスト情報ＴＸをテキスト付加部３５に供給する。
【００５３】
テキスト付加部３５は、ユーザによって入力された画像テキスト情報ＴＸと、識別子特定部３４から供給される代表特徴情報識別子Ｔｉｄｒとを、フラッシュメモリ５の画像テキストデータベース４２（図２）に登録する。
【００５４】
これにより図５に示すように、制御部２は、代表特徴情報識別子Ｔｉｄｒと画像テキスト情報ＴＸとが対応付けられて登録された画像テキストデータベース４２を生成することができ、この画像テキストデータベース４２を使用することにより、データベース生成処理と同様の抽出手法によって任意の映像コンテンツから抽出された特徴情報を用いて当該映像コンテンツに対応する内容文字情報を取得し得るようになされている。
【００５５】
一方、中止ボタン５５（図３）にカーソルが配置された状態でリモートコントローラ３０の図示しない決定ボタンが押下されると、制御部２は、データベース生成処理を中止する。
【００５６】
これによりハードディスクレコーダ１は、ユーザの気分に応じてデータベース生成処理の実行の可否を決定させることができるため、ユーザに画像テキスト情報ＴＸの入力を強要することなく、ユーザに画像テキスト情報ＴＸの入力を鬱陶しいと感じさせることを防止することができる。
【００５７】
なお、代表画像選出部３１は、再生映像特徴データＤＳのうち、人物や物体のようなテキスト情報に対応しやすい画像に対応する再生映像特徴データＤＳを選出し、この中から代表特徴データＤＳｒを選定するようにすることができる。この場合、代表画像選出部３１は、代表画像５１のうち、人物や物体に相当する領域のみを周囲よりも明るく表示することにより、ユーザに当該人物や物体に対応する内容を入力することを理解させやすくでき、ユーザに代表画像５１の内容を表す画像テキスト情報ＴＸを的確に入力させ得るようになされている。
【００５８】
このように、ハードディスクレコーダ１は、再生処理と並行して再生映像信号ＤＰから再生映像特徴データＤＳを抽出して特徴データ記録部４１に記録すると共に、当該再生映像特徴データＤＳの中から各シーンを代表する代表画像データＤＰｒを選出する。そしてハードディスクレコーダ１は、再生処理の終了後に代表画像データＤＰｒに基づく代表画像５１を表示装置に表示させて、代表画像データＤＰｒに対応する画像テキスト情報ＴＸをユーザに入力させると共に、代表画像データＤＰｒに対応する代表特徴情報識別子Ｔｉｄｒとこの画像テキスト情報ＴＸとを関連付けて登録することにより、画像に対応する内容文字情報を取得するための画像テキストデータベース４２を生成し得るようになされている。
【００５９】
（３）タイトル候補の表示
次に、上述した画像テキストデータベース４２を用いて実行されるタイトル候補表示処理（タイトル候補取得処理及び一覧画面表示処理）について説明する。このタイトル候補表示処理においてハードディスクレコーダ１の制御部２は、タイトル候補表示プログラムを実行することにより図６に示す機能ブロックを実現するようになされている。
【００６０】
（３−１）タイトル候補の取得
ハードディスクレコーダ１の制御部２は、ビデオカメラなどの外部機器から入力される入力撮像データに対する記録処理の際、並行してタイトル候補取得処理を実行するようになされている。
【００６１】
すなわち制御部２は、外部インターフェース１１（図１）を介して入力される入力撮像データをハードディスクドライブ４（図１）に記録すると共に、入力撮像データのうち、映像デコーダ１２によって復号化された入力映像信号ＴＰを画像解析部３１に供給させる。
【００６２】
画像解析部３１は、データベース生成処理のときと同様の処理によって入力映像信号ＴＰからフレーム画像ごとの入力映像特徴データＴＳを抽出し、これを特徴データ照合部６２に供給する。
【００６３】
特徴データ照合部６２は、入力映像特徴データＴＳが供給されると、画像テキスト情報ＴＸが関連付けられている蓄積特徴データＤＳａのうち、当該入力映像特徴データＴＳに対して最小距離を有する蓄積特徴データＤＳａを選定する。
【００６４】
具体的に、特徴データ照合部６２は、フラッシュメモリ５の特徴データ記録部４１に記録されている蓄積特徴データＤＳａと入力映像特徴データＴＳとを照合し、入力映像特徴データＴＳとの距離が小さい順に例えば２０個の蓄積特徴データＤＳａを検出する。そして特徴データ照合部６２は、検出された蓄積特徴データＤＳａが画像テキストデータベース４２に登録されている否かを判別する。
【００６５】
ここで特徴データ照合部６２は、検出された蓄積特徴データＤＳａの特徴情報識別子Ｔｉｄと画像テキストデータベース４２の代表特徴情報識別子Ｔｉｄｒとを照合し、検出された蓄積特徴データＤＳａの中に画像テキストデータベース４２に登録されているものが存在する場合には、登録された蓄積特徴データＤＳａのうち、入力映像特徴データＴＳとの距離が最小となる蓄積特徴データＤＳａを最小蓄積特徴データＤＳａｎとして選出する。
【００６６】
さらに特徴データ照合部６２は、最小蓄積特徴データＤＳａｎと入力映像特徴データＴＳとの距離が所定の類似閾値以下であるか否かを判別し、最小蓄積特徴データＤＳａｎと入力映像特徴データＴＳとの距離が所定の類似閾値未満であった場合には、入力映像特徴データＴＳに基づくフレーム画像が最小蓄積特徴データＤＳａｎに基づくフレーム画像と類似していると判断し、この最小距離蓄積特徴データＤＳａｎが有する代表特徴情報識別子Ｔｉｄｒをテキスト取得部６３に送出する。
【００６７】
テキスト取得部６３は、代表特徴情報識別子Ｔｉｄｒに対応する画像テキスト情報ＴＸを画像テキストデータベース４２から取得すると、これらを内容文字情報ＴＸｃとして図示しないＲＡＭに一時的に記録すると共に、現在の入力映像特徴データＴＳについての処理を終了し、次の入力映像信号ＴＰに基づく入力映像特徴データＴＳの生成を開始する。このときテキスト取得部６３は、同一の内容文字情報ＴＸｃが複数回に渡って取得された場合には、その取得回数をカウントするようにする。
【００６８】
そして制御部２は、記録処理中の入力撮像データが有する全ての記録映像データＴＳに対して内容文字情報ＴＸｃを取得する一連の処理を終了すると、テキスト取得部６３は、ＲＡＭに一時記録した内容文字情報ＴＸｃのうち、画像テキストデータベース４２から取得された回数の多い順から例えば１０個の内容文字情報ＴＸｃを選定し、図７に示すように、撮像データ管理リスト４３に登録する。
【００６９】
これにより、制御部２は、入力撮像データにおける撮像時間が比較的長く、入力撮像データ占める割合の高いフレーム画像を表す内容文字情報ＴＸｃを選定し、これらをタイトル候補テキストＴＩとするため、記録処理の終了した記録済撮像データの内容を示唆している可能性が比較的高い内容文字情報ＴＸｃをタイトル候補テキストＴＩとして登録し得るようになされている。
【００７０】
一方、特徴データ照合部６２は、検出された蓄積特徴データＤＳａの特徴情報識別子Ｔｉｄと画像テキストデータベース４２の代表特徴情報識別子Ｔｉｄｒとを照合した際、検出された蓄積特徴データＤＳａの中で画像テキストデータベース４２に登録されているものが存在しなかった場合には、現在の入力映像特徴データＴＳについての処理を終了し、次の入力映像信号ＴＰに基づく入力映像特徴データＴＳの生成を開始する。
【００７１】
また、特徴データ照合部６２は、最小蓄積特徴データＤＳａｎと入力映像特徴データＴＳとの距離が所定の類似閾値を超えると判別した場合には、入力映像特徴データＴＳに基づくフレーム画像が最小蓄積特徴データＤＳａｎに基づくフレーム画像と類似していないため、現在の入力映像特徴データＴＳについての処理を終了し、次の入力映像信号ＴＰに基づく入力映像特徴データＴＳの生成を開始する。
【００７２】
このように、ハードディスクレコーダ１では、撮像データの記録処理の際に、入力映像信号ＴＰから入力映像特徴データＴＳを抽出し、画像テキストデータベース４２に登録された蓄積特徴データＤＳａのうち、この入力映像特徴データＴＳと最も近い最小蓄積特徴データＤＳａｎを特定し、最小蓄積特徴データＤＳｎａに対応する画像テキスト情報ＴＸを入力映像特徴データＴＳの抽出元となるフレーム画像の内容を表す内容文字情報ＴＸｃとして取得すると共に、当該内容文字情報ＴＸｃを記録済撮像データの内容を示唆するタイトル候補テキストＴＩとして登録するようにした。
【００７３】
これにより、ハードディスクレコーダ１では、ユーザに一切作業をさせることなく、記録済撮像データの内容を示唆するタイトル候補テキストＴＩを撮像データ管理リスト４３に登録し得るようになされている。
【００７４】
なお、ハードディスクレコーダ１は、撮像データの記録処理の際に、撮像データＩＤと、入力撮像データに付加されている撮像日時情報と、外部インターフェース１１のうち、どの入力端子を介して撮像データが入力されたかを表す入力情報とを、この撮像データ管理リスト４３（図７）に自動的に登録するようになされている。
【００７５】
また、ハードディスクレコーダ１は、撮像データの記録処理と並行してタイトル候補取得処理を実行することから、入力撮像データに対する記録処理が終了するのとほぼ同時に、撮像データ管理リスト４３に内容文字情報ＴＸｃを登録することができる。
【００７６】
従って入力撮像データに対する記録処理が終了した時点で、撮像データ管理リスト４３には、撮像データのタイトルが登録されるタイトル欄Ｃｔと、サムネイル画像として選出された画像が登録されるサムネイル欄Ｃｓが空白となり、撮像データＩＤ欄Ｃｉ、撮像日時情報欄Ｃｄ、タイトル候補欄Ｃａ、入力情報欄Ｃｅにはそれぞれ該当する情報が登録された状態となる。
【００７７】
（３−２）撮像データ一覧画面の表示
ハードディスクレコーダ１の制御部２（図１）は、指定された全ての撮像データについての撮像データの記録処理が終了したとき、又はユーザのリモートコントローラ３０の操作により撮像データ一覧画面７０を表示する旨の要求を表す操作信号がリモートコントローラインターフェース１０から供給されたときには、タイトル候補表示プログラムに従って一覧画面表示処理を実行するようになされている。
【００７８】
すなわち、制御部２のタイトル付加部６４（図６）は、撮像データ管理リスト４３に基づいて一覧画像データＤＬを生成し、これを映像信号処理回路１４に送出することにより、図８に示すように表示装置（図示せず）に撮像データ一覧画面７０を表示させる。
【００７９】
この撮像データ一覧画面７０には、撮像データ管理リスト４３に基づいて、撮像日時情報表示領域７２及び入力情報表示領域７３にそれぞれ撮像日時情報及び入力情報がそれぞれ表示されている。
【００８０】
また、撮像データ管理リスト４３（図７）にタイトルが登録されている場合には、タイトル表示領域７３に記録済撮像データのタイトルが表示される一方、タイトルが登録されていない場合には、タイトル表示領域７３は空白のままとなり、何も表示されないようになされている。
【００８１】
タイトル付加部６４は、撮像データ一覧画面７０の最上部に表示された記録済撮像データにカーソルを配置することにより、当該最上部の記録済撮像データを周囲の色から変化させて表示させている。そしてリモートコントローラ３０（図１）の矢印ボタン（図示せず）がユーザによって押下されたことにより、リモートコントローラインターフェース１０から操作信号が供給されると、タイトル付加部６４は、直下の記録済撮像データにカーソルを順次移動させるようになされている。
【００８２】
そしてタイトル付加部６４（図６）は、一の記録済撮像データにカーソルが配置されている状態で、リモートコントローラ３０（図１）の決定ボタン（図示せず）が押下されると、カーソルが配置されている記録済撮像データについてのタイトル候補テキストＴＩを、プルダウン方式によるサブ画面７５として表示すると共に、タイトル候補テキストＴＩの一つにカーソルを配置する。
【００８３】
またタイトル付加部６４は、タイトル候補取得処理の際に画像テキストデータベース４２から取得された回数の多い順に、サブ画面７５の最上からタイトル候補テキストＴＩを表示するようになされている。
【００８４】
これにより、ハードディスクレコーダ１は、記録済撮像データが有するフレーム画像の内容に対応する内容文字情報ＴＸｃとして取得された回数の多い順に、すなわち記録済撮像データが有する画像の中で、より多くの画像と対応する順にタイトル候補テキストＴＩを表示するため、記録済撮像データの内容を示唆している可能性の高いタイトル候補テキストＴＩをユーザに提示することができ、記録済撮像データをわざわざ再生することなく、記録済撮像データの内容を示唆するようなテキスト情報を表示装置に表示させることができる。
【００８５】
なお、サブ画面７５の右下部分に表示された▽印は、サブ画面７５のさらに下方向にタイトル候補テキストＴＩが存在することを表しており、タイトル付加部６４は、リモートコントローラ３０の下向きの矢印ボタンが押下されると、サブ画面７５をスクロールさせて下方向に存在するタイトル候補を表示する。
【００８６】
またタイトル付加部６４は、一のタイトル候補、例えば「富士山」にカーソルが配置された状態でリモートコントローラ３０の決定ボタンが押下されると、撮像データ管理リスト４３のタイトル欄Ｃｔにタイトル「富士山」を登録すると共に、撮像データ一覧画面７０のタイトル表示領域７３にタイトル「富士山」を表示するようになされている。
【００８７】
これにより、ハードディスクレコーダ１は、複数のタイトル候補の中から選択するだけの簡易な作業でユーザにタイトルを決定させることができ、ユーザにタイトルの手入力を強いることなく、簡易な作業で撮像データ管理リスト４２にタイトルを登録し得るようになされている。
【００８８】
ちなみにタイトル付加部６４は、タイトルとして「富士山」が選択された場合には、表示中の代表画像５１を有する記録済撮像データのうち、「富士山」と対応する画像を選択してサムネイル画像表示領域７１に表示するようになされている。
【００８９】
すなわちタイトル付加部６４は、表示されている記録済撮像データに基づいて「富士山」に対応付けられて登録された代表特徴情報識別子Ｔｉｄｒが存在する場合には、このうち一つの代表特徴情報識別子Ｔｉｄｒを画像テキストデータベース４２から選択し、これを撮像データ管理リスト４３のサムネイル欄Ｃｓに登録すると共に、当該代表特徴情報識別子Ｔｉｄｒに対応する画像をサムネイル画像として、サムネイル画像表示領域７１に表示する。
【００９０】
一方、タイトル付加部６４は、表示されている記録済撮像データに基づいて「富士山」に対応付けられて登録された代表特徴情報識別子Ｔｉｄｒが存在しない場合には、他の記録済撮像データに基づいて「富士山」に対応付けられた一の代表特徴情報識別子Ｔｉｄｒを選択し、この代表特徴情報識別子Ｔｉｄｒが表す蓄積特徴データＤＳａと最も類似する入力特徴抽出データＴＳを検出し、検出された入力特徴抽出データＴＳの特徴情報識別子Ｔｉｄを特定して撮像データ管理リスト４３のサムネイル欄Ｃｓに登録すると共に、当該代表特徴情報識別子Ｔｉｄｒに対応する画像をサムネイル画像として、サムネイル画像表示領域７１に表示する。
【００９１】
また、タイトル付加部６４は、撮像データ管理リスト４３にタイトルが設定されておらず、サムネイル欄Ｃｓに代表特徴情報識別子Ｔｉｄｒが登録されていない場合には、記録済撮像データにおける任意の画像（例えば最初のフレームの画像）をサムネイル画像表示領域７１に表示する。
【００９２】
これにより、タイトル付加部６４は、撮像データの内容を表すものとしてユーザが選定したタイトルに対応する代表画像データＰＤｒをサムネイル画像として表示させることができるため、撮像データの内容を表す画像をサムネイル画像表示領域７１に表示することができる。
【００９３】
また、タイトル付加部６４は、タイトル入力ボタン７６にカーソルが配置された状態でリモートコントローラ３０の決定ボタンが押下されると、キーボード画面６０（図４）を表示して、ユーザに任意のタイトルを入力させ得るようになされている。
【００９４】
これにより、タイトル付加部６４は、表示されたタイトル候補テキストＴＩを参考にユーザの好みに応じた自由なタイトルを入力させることができると共に、ユーザが表示されたタイトル候補テキストＴＩを気に入らなかったような場合であっても、記録済撮像データにユーザの好むタイトルを設定し得るようになされている。
【００９５】
このようにハードディスクレコーダ１は、撮像データ一覧画面を表示する際に、タイトル候補取得処理によって登録されたタイトル候補テキストＴＩをサブ画面７５に表示することにより、ユーザにこのタイトル候補テキストＴＩの中から撮像データのタイトルを選択させるようにした。
【００９６】
これにより、ハードディスクレコーダ１は、表示されたタイトル候補テキストＴＩの中から選択するだけの簡易な作業で記録済撮像データのタイトルをユーザに決定させることができ、撮像データ管理リスト４２へのタイトルの入力作業を簡易にし得るようになされている。
【００９７】
（４）画像テキストデータベース生成処理手順
次に、データベース生成プログラムに従って実行されるデータベース処理手順について、図９のフローチャートを用いて説明する。
【００９８】
ハードディスクレコーダ１の制御部２は、リモートコントローラ３０（図１）を介したユーザの操作に応じてハードディスクドライブ４に記録されている記録済撮像データに対する再生処理を開始すると、データベース処理手順ＲＴ１の開始ステップから入ってステップＳＰ１へ移り、映像デコーダ１２から供給される再生映像信号ＤＰに基づいて再生映像特徴データＤＳを生成し、次のステップＳＰ２へ移る。
【００９９】
ステップＳＰ２において、制御部２は、再生映像特徴データＤＳに特徴情報識別子Ｔｉｄを付加すると共に、これをフラッシュメモリ５の特徴データ記録部４１（図２）に記録すると、次のステップＳＰ３へ移る。
【０１００】
ステップＳＰ３において、制御部２は、例えばシーンチェンジの有無により、供給された再生映像特徴データＤＳが代表特徴データＤＳｒであるか否かについて判別し、否定結果が得られた場合、制御部２は、ステップＳＰ１へ戻り、次の撮像映像特徴データＤＳについての処理を開始する。
【０１０１】
これに対してステップＳＰ３において肯定結果が得られた場合、制御部２は、次のステップＳＰ４へ移り、代表特徴データＤＳｒの代表特徴情報識別子Ｔｉｄｒを特定し、この代表特徴情報識別子ＴｉｄｒをＲＡＭ（図示せず）に一時記録すると、次のステップＳＰ５へ移る。
【０１０２】
ステップＳＰ５において、制御部２は、再生された記録済撮像データにおける全ての再生映像特徴データＤＰに対する処理を終了したか否かについて判別し、否定結果が得られた場合、制御部２は、ステップＳＰ１へ戻り、次の再生映像信号ＤＰに対する処理を開始する。
【０１０３】
これに対してステップＳＰ５において肯定結果が得られた場合、このことは記録済撮像データの再生処理が終了したことを意味しており、このとき制御部２は、次のステップＳＰ６へ移る。
【０１０４】
ステップＳＰ６において、制御部２は、ＲＡＭに記録された代表特徴情報識別子Ｔｉｄｒを用いて代表画像データＤＰｒを特定し、当該代表画像データＤＰｒに基づく代表画像５１を含むテキスト入力画面５０（図３）を表示装置（図示せず）に表示させると、次のステップＳＰ７へ移る。
【０１０５】
ステップＳＰ７において、制御部２は、ユーザによって画像テキスト情報ＴＸが入力されると、次のステップＳＰ８へ移る。
【０１０６】
ステップＳＰ８において、制御部２は、ステップＳＰ７において入力された画像テキスト情報ＴＸと、代表特徴情報識別子Ｔｉｄｒとを対応付けて画像テキストデータベース４２（図５）に登録すると、次のステップＳＰ９へ移る。
【０１０７】
ステップＳＰ９において、制御部２は、ＲＡＭに記録された全ての代表特徴データＤＳｒについて処理を終了したか否かについて判別し、否定結果が得られた場合、制御部２は、ステップＳＰ６へ戻って次の代表特徴データＤＳｒについての処理を開始する。
【０１０８】
これに対してステップＳＰ９において肯定結果が得られた場合、制御部２は、次のステップＳＰ１０へ移って処理を終了する。
【０１０９】
なお制御部２は、このデータベース生成処理を記録済撮像データにつき１度限り実行するようになされており、同一の記録済撮像データに対して撮像データの再生処理を複数回実行する場合には、２回目以降の撮像データの再生処理の際にはデータベース生成処理を実行しないようになされている。
【０１１０】
また制御部２は、記録済撮像データについて複数回目の再生処理を実行している際に、ユーザの操作に応じて例えば表示中の画像に対応する画像テキスト情報ＴＸの入力をする旨の入力要求を表す操作信号が供給された場合、制御部２は、表示中の画面を代表画像とし、ステップＳＰ６からステップＳＰ１０までの処理を実行するようになされている。
【０１１１】
この場合、制御部２は、表示中の画像データから再生映像特徴データを抽出する必要はなく、ステップＳＰ８において表示中の画像データに対応する特徴情報識別子Ｔｉｄを特定し、これを代表情報識別子Ｔｉｄｒとすれば良い。
【０１１２】
（５）タイトル候補表示処理手順
次に、データベース生成プログラムに従って実行されるタイトル候補表示処理手順について、図１０のフローチャートを用いて説明する。
【０１１３】
ハードディスクレコーダ１の制御部２は、リモートコントローラ３０（図１）を介したユーザの操作に応じて外部インターフェース１１に接続されたビデオカメラなどの外部機器（図示せず）から入力される入力撮像データに対する記録処理を開始すると、タイトル候補処理手順ＲＴ２の開始ステップから入ってステップＳＰ２１へ移り、映像デコーダ１２から供給される入力映像信号ＴＰに基づいて入力映像特徴データＴＳを生成すると、次のステップＳＰ２２へ移る。
【０１１４】
ステップＳＰ２２において、制御部２は、ステップＳＰ２１において生成された入力映像特徴データＴＳを、フラッシュメモリ５の特徴データ記録部４１（図６）に記録された蓄積特徴データＤＳａと照合すると、次のステップＳＰ２３へ移り、蓄積特徴データＤＳａの中から画像テキストデータベース４２に登録され、かつ入力映像特徴データＴＳとの距離が最も小さい、すなわち最小距離を有する最小蓄積特徴データＤＳａｎを選出し、次のステップＳＰ２４へ移る。
【０１１５】
ステップＳＰ２４において、制御部２は、最小距離が所定の類似閾値以下であるか否かについて判別する。
【０１１６】
ここで否定結果が得られた場合、このことは最小距離を有する最小蓄積特徴データＤＳａｎと入力映像特徴データＴＳとが類似していないことを表しており、このとき制御部２は、ステップＳＰ２１へ戻り、次の記録映像データＤＰについての処理を開始する。
【０１１７】
これに対してステップＳＰ２４において肯定結果が得られた場合、このことは最小蓄積特徴データＤＳａｎと入力映像特徴データＴＳとが類似していることを表しており、このとき制御部２は、次のステップＳＰ２５へ移る。
【０１１８】
ステップＳＰ２５において、制御部２は、画像テキストデータベース４２から最小蓄積特徴データＤＳｎａに対応する内容文字情報ＴＸｃを取得し、これを入力映像信号ＴＰに対応する内容文字情報ＴＸｃとしてＲＡＭ（図示せず）に一時記録すると、次のステップＳＰ２６へ移る。
【０１１９】
ステップＳＰ２６において、制御部２は、記録処理中の入力撮像データにおける全ての記録映像特徴データＴＰに対する処理を終了したか否かについて判別し、否定結果が得られた場合、制御部２は、ステップＳＰ２１へ戻り、次の入力映像信号ＴＰに対する処理を開始する。
【０１２０】
これに対してステップＳＰ２６において肯定結果が得られた場合、このことは入力撮像データの記録処理が終了したことを意味しており、このとき制御部２は、次のステップＳＰ２７へ移る。
【０１２１】
ステップＳＰ２７において、制御部２は、内容文字情報ＴＸｃの取得回数を確認し、取得回数の多い順に例えば１０個の内容文字情報ＴＸｃをタイトル候補テキストＴＩとして選定し、これを撮像データ管理リスト４３（図７）に登録すると、次のステップＳＰ２８に移る。
【０１２２】
ステップＳＰ２８において、制御部２は、画像テキストデータベース４３に基づいて、記録済撮像データの一覧である撮像データ一覧画面７０（図８）を表示装置（図示せず）に表示させると、次のステップＳＰ２９へ移る。このとき制御部２は、ユーザの操作に応じてタイトル候補テキストＴＩをサブ画面７５Ａ表示させるようにする。
【０１２３】
ステップＳＰ２９において、制御部２は、ユーザによって記録済撮像データのタイトルが選定されると、次のステップＳＰ３０へ移る。
【０１２４】
ステップＳＰ３０において、制御部２は、ステップＳＰ３０において登録されたタイトルを撮像データ管理リスト４２（図７）に登録すると、次のステップＳＰ３１に移って処理を終了する。
【０１２５】
なお、入力撮像データの記録処理を実行していない状態において、ユーザのリモートコントローラ３０の操作に応じて撮像データ一覧画面７０（図８）を表示する旨を表す操作信号がリモートコントローラインターフェース１０から供給された場合、制御部２は、ステップＳＰ２８からステップＳＰ３１までの一覧画面表示処理を実行するようになされている。また制御部２は、入力撮像データの記録処理の際、ステップＳＰ２１からステップＳＰ２７までのタイトル候補取得処理のみを実行し、そのままステップＳＰ３１に移ることにより、一覧画面表示処理を省略することもできる。
【０１２６】
（６）動作及び効果
以上の構成において、ハードディスクレコーダ１は、輝度を用いた所定の抽出方法に従って映像コンテンツである入力撮像データを構成する画像から当該画像の特徴を表すコンテンツ特徴情報である入力映像特徴データＴＳを抽出し、任意の画像である代表画像データＰＤｒから入力映像特徴データＴＳと同一の抽出方法に従って抽出された代表特徴データＤＳｒと、代表画像データＰＤｒの内容を表す画像テキスト情報ＴＸとが対応付けられて登録された画像テキストデータベース４２から、入力映像特徴データＴＳと類似する蓄積特徴データＤＳａを検出する。さらにハードディスクレコーダ１は、入力映像特徴データＴＳの抽出元となる画像（入力映像信号ＴＳ）の内容を表す内容文字情報ＴＸｃとして、検出された蓄積特徴データＤＳａに対応する画像テキスト情報ＴＸを画像テキストデータベース４２から取得するようにした。
【０１２７】
これにより、ハードディスクレコーダ１は、類似する最小蓄積特徴情報ＤＳａｎに対応付けられていることにより入力撮像データが有する各画像の内容を表しているとみなすことができ、入力撮像データの内容を示唆する可能性の高い内容文字情報ＴＸｃを、ユーザになんら作業をさせることなく、画像テキストデータベース４２から自動的に取得することができる。
【０１２８】
さらにハードディスクレコーダ１は、画像テキストデータベース４２から入力映像特徴データＴＳと最も類似する最小蓄積特徴データＤＳａｎを検出し、この最小蓄積特徴データＤＳａｎに対応する内容文字情報ＴＸｃを取得することにより、入力映像信号ＴＳに基づく画像の内容を表す可能性の一段と高い画像テキスト情報ＴＸを選択的に内容文字情報ＴＸｃとして取得することができる。
【０１２９】
またハードディスクレコーダ１は、外部インターフェース１１を介してビデオカメラなどの外部装置から供給される入力撮像データを記録する際に、当該入力撮像データを構成するフレーム画像から入力映像特徴データＴＳを抽出してタイトル候補取得処理を実行することにより、入力撮像データの記録処理が終了するのとほぼ同時に内容文字情報ＴＸｃを取得することができ、記録済撮像データについてはこの内容文字情報ＴＸｃをいつでも利用することができる。
【０１３０】
さらにハードディスクレコーダ１は、内容文字情報ＴＸｃを撮像データ管理リスト４３に登録することにより、この内容文字情報ＴＸｃを記録済撮像データのタイトルの候補として表示したり、記録済撮像データの内容に対するキーワードとして検索に利用したりすることができ、ユーザの利便性を向上することができる。
【０１３１】
またハードディスクレコーダ１は、取得された回数の多い順に所定の数（例えば１０個）だけ内容文字情報ＴＸｃを撮像データ管理リスト４３に登録するようにしたことにより、記録済撮像データの有する画像が多いため、記録済撮像データの内容を的確に示唆しており、記録済撮像データのタイトルやキーワードとしてふさわしい可能性が高い順に内容文字情報ＴＸｃを撮像データ管理リスト４３に選択的に登録することができる。
【０１３２】
さらにハードディスクレコーダ１は、撮像データ管理リスト４３に登録された内容文字情報ＴＸｃを記録済撮像データの内容を表すタイトルの候補であるタイトル候補テキストＴＩとして表示装置に表示させることにより、記録済撮像データを再生することなく当該記録済撮像データの内容をユーザに認識させ、ユーザに記録済撮像データの内容を思い出させたり、予想させたりすることができる。
【０１３３】
またハードディスクレコーダ１は、表示されたタイトル候補テキストＴＩから一のタイトル候補テキストＴＩをユーザに選定させると共に、選定されたタイトル候補テキストＴＩを記録済撮像データのタイトルとして撮像データ管理リスト４３に登録することにより、表示されたタイトル候補テキストＴＩの中から一つを選択するだけの簡易な作業のみによって、ユーザにタイトルの決定について悩ませたり、面倒な入力作業をさせることなく、ユーザの好むタイトルを記録済撮像データに設定させることができる。
【０１３４】
またハードディスクレコーダ１は、ユーザ自身が代表画像５１に対応する画像テキストデータＴＸを設定するデータベース生成処理によって生成された画像テキストデータベース４２から内容文字情報ＴＸｃを取得するようにしたことにより、ユーザの好みに応じて登録された画像テキスト情報ＴＸを内容文字情報ＴＸｃとして取得することができる。
【０１３５】
この場合ハードディスクレコーダ１は、入力撮像データの撮像者が限定されるため、不特定多数のユーザによって生成された画像テキストデータベース４２を用いる場合とは異なり、系統の似ている画像に基づく再生映像特徴データＤＳと画像テキスト情報ＴＸとが画像テキストデータベース４２に登録されているため、取得された内容文字情報ＴＸｃが入力映像特徴データＴＳに基づく画像の内容を表す確率を一段と向上させることができる。
【０１３６】
以上の構成によれば、ハードディスクレコーダ１は、任意の映像コンテンツから抽出された代表特徴データＤＳｒと当該代表特徴データＤＳｒの元になる代表画像データＤＰｒの内容を表す画像テキスト情報ＴＸとが対応付けられた画像テキストデータベース４２から、入力撮像データが有する画像に類似する代表画像データＤＰｒに対応する画像テキスト情報ＴＸを、当該撮像データが有する画像の内容を表す内容文字情報ＴＸｃとして取得することにより、入力撮像データの内容を示唆する内容文字情報ＴＸｃを取得できる内容文字情報取得方法、内容文字情報取得プログラム、内容文字情報取得装置及び映像コンテンツ記録装置を実現することができる。
【０１３７】
（７）他の実施の形態
なお上述の実施の形態においては、入力映像特徴データＴＳを、全部の蓄積特徴データＤＳａと照合して類似閾値未満の蓄積特徴データＤＳａを検出し、さらに検出された蓄積特徴データＤＳａが画像テキストデータベース４２に登録されているかを判別することにより、画像テキストデータベース４２に登録され、かつ入力映像特徴データＴＳに類似する蓄積特徴データＤＳａを検出するようにした場合について述べたが、本発明はこれに限らず、入力映像特徴データＴＳを、画像テキストデータベース４２に登録されている蓄積特徴データＤＳａのみと照合し、類似閾値未満のものを判別することによって類似する蓄積特徴データＤＳａを検出するようにしても良い。
【０１３８】
また上述の実施の形態においては、取得された内容文字情報ＴＸｃから所定の登録数である１０個の内容文字情報ＴＸｃを選定して撮像データ管理リスト４３に登録するようにした場合について述べたが、本発明はこれに限らず、取得された全ての内容文字情報ＴＸｃを撮像データ管理リスト４３に登録するようにしても良い。
【０１３９】
さらに上述の実施の形態においては、取得された内容文字情報ＴＸｃの取得回数をカウントし、取得回数の多い順に撮像データ管理リスト４３に登録するようにした場合について述べたが、本発明はこれに限らず、例えば取得した順番や照合時の相関値の高い順で登録するようにしても良い。
【０１４０】
特徴データ照合部６２は、相関値の高い順で内容文字情報ＴＸｃを登録する場合、入力映像特徴データＴＳと蓄積特徴データＤＳａとを照合する際に、これらの相関値を算出してＲＡＭに一時記録しておく。そしてテキスト取得部６３は、相関値の高い蓄積特徴データＤＳａに対応する内容文字情報ＴＸｃから撮像リスト管理テーブル４３に登録するようにする。これにより制御部２は、入力映像信号ＴＰが表す画像の内容を的確に表している可能性が一段と高い内容文字情報ＴＸｃを優先的に撮像データ管理テーブル４３に登録することができる。
【０１４１】
また制御部２は、取得回数に対して相関値に応じた相関係数を乗算した乗算値を算出すると共に内容文字情報ＴＸｃごとの乗算値の和を算出し、乗算値の和が高い順に内容文字情報ＴＸｃを撮像データ管理リスト４３に登録するようにすることもできる。これにより、内容文字情報ＴＸｃの取得回数及び入力映像特徴データＴＳと蓄積特徴データＤＳａの相関値の両方を加味し、画像に対する的確な内容文字情報ＴＸｃを、記録済撮像データが有する画像の割合に応じた適切な優先順位で撮像データ管理リスト４３に登録することができる。
【０１４２】
さらに上述の実施の形態においては、類似する蓄積特徴データＤＳａのうち、最小蓄積特徴データＤＳａｎに対応する一の内容文字情報ＴＸｃのみを撮像データ管理リスト４３に登録するようにした場合について述べたが、本発明はこれに限らず、複数登録するようにしても良い。
【０１４３】
さらに上述の実施の形態においては、入力映像特徴データＴＳに対して最小距離を有する最小蓄積特徴データＤＳａｎに対応する画像を記録映像データＴＰと最も類似すると判別するようにした場合について述べたが、本発明はこれに限らず、例えば入力映像特徴データＴＳとの相関値が最も高い蓄積特徴データＤＳａに対応する画像を記録映像データＴＰと最も類似すると判別するようにしても良い。
【０１４４】
さらに上述の実施の形態においては、ユーザの要求に応じて表示中の画像に画像テキスト情報ＴＸを入力させる際に、特徴データ記録部４１に記録された蓄積特徴データＤＳａを使用するようにした場合について述べたが、本発明はこれに限らず、例えばダイジェスト再生の際の再生部分の選定など、種々の処理に利用するようにしても良い。
【０１４５】
さらに上述の実施の形態においては、再生映像特徴データＤＳに対して撮像データＩＤと通し番号とからなる特徴情報識別子Ｔｉｄが付加されるようにした場合について述べたが、本発明はこれに限らず、記録済撮像データと特徴情報識別子Ｔｉｄとが対応付けられていれば特徴情報識別子Ｔｉｄの付加方法について制限はない。
【０１４６】
さらに上述の実施の形態においては、撮像データ管理リスト４３にタイトル候補となるタイトル候補テキストＴＩとして内容文字情報ＴＸｃを登録するようにした場合について述べたが、本発明はこれに限らず、例えば検索用のキーワードとして登録するようにしても良い。
【０１４７】
さらに上述の実施の形態においては、入力撮像データからフレーム画像ごとに入力映像特徴データＴＳを生成ようにした場合について述べたが、本発明はこれに限らず、例えばフィールド画像ごとに入力映像特徴データＴＳを生成するようにしても良い。
【０１４８】
さらに上述の実施の形態においては、入力撮像データの全てのフレーム画像から入力映像特徴データＴＳを生成するようにした場合について述べたが、本発明はこれに限らず、例えば数フレームおきに入力映像特徴データＴＳを生成するようにしても良い。
【０１４９】
さらに上述の実施の形態においては、撮像データ管理リスト４３のタイトル欄Ｃｔにタイトルが登録されていない場合には、撮像データ一覧画面７０のタイトル表示欄７３には空白が表示されるようにした場合について述べたが、本発明はこれに限らず、例えば、撮像データリスト４３に最初に登録されているタイトル候補テキストＴＩをタイトル表示欄７３に表示するようにしても良い。
【０１５０】
これにより、ハードディスクレコーダ１は、ユーザに記録済撮像データの一つを選択させてサブ画面７５を表示させるまでもなく、記録済撮像データの内容を表すタイトル候補テキストＴＩを表示して、ユーザに記録済撮像データの内容を視認させることができる。
【０１５１】
さらに上述の実施の形態においては、サムネイル表示領域７１に、表示されている撮像データのうち、ユーザが選定したタイトルに対応する画像を表示するようにした場合について述べたが、本発明はこれに限らず、表示されていない他の撮像データからタイトルに対応する画像を選定して表示するようにしても良い。
【０１５２】
さらに上述の実施の形態においては、サムネイル表示領域７１に表示する画像を選定する際、ユーザが選定したタイトルに対応する代表特徴情報識別子Ｔｉｄｒが撮像データ管理リスト４３に登録されていない場合には、タイトルに対応する一の代表特徴データＤＳｒと最も類似する入力映像特徴データＴＳを検出するようにした場合について述べたが、本発明はこれに限らず、類似する入力映像特徴データＴＳのうち、任意の入力映像特徴データＴＳを選定してサムネイル表示領域７１に表示することができる。
【０１５３】
さらに上述の実施の形態においては、選定されたタイトルに対応する入力映像特徴データＴＳに基づく画像をサムネイル画像としてサムネイル表示領域７１に表示するようにした場合について述べたが、本発明はこれに限らず、例えば常に記録済撮像データの最初のフレーム画像をサムネイル画像を表示するようにしても良い。また撮像データ一覧画面７０に必ずしもサムネイル画像を表示する必要はない。
【０１５４】
さらに上述の実施の形態においては、撮像データ一覧画面７０にサムネイル画像表示領域７１と、撮像日時表示領域７２と、タイトル表示領域７３と、入力情報表示領域７４とを設けるようにした場合について述べたが、本発明はこれに限らず、撮像データ一覧画面７０に表示される項目は、自動的に作成される撮像データ管理リスト４３の項目に応じて適宜変更することができる。
【０１５５】
さらに上述の実施の形態においては、フラッシュメモリ５に画像テキストデータベース４２が記録されているようにした場合について述べたが、本発明はこれに限らず、ハードディスクドライブ４に記録されるようにしても良い。
【０１５６】
さらに上述の実施の形態においては、ハードディスクレコーダ１がデータベース生成処理を実行するようにした場合について述べたが、本発明はこれに限らず、ハードディスクレコーダ１が内容文字情報ＴＸｃを取得する処理のみを実行するようにしても良い。この場合、ハードディスクレコーダ１は、例えばデフォルトで有する画像テキストデータベース４２を使用してタイトル表示処理を実行したり、ネットワークで共有している画像テキストデータベース４２を使用するようにする。
【０１５７】
さらに上述の実施の形態においては、入力撮像データの記録処理の際に並行して内容文字情報ＴＸｃを取得する処理を実行するようにした場合について述べたが、本発明はこれに限らず、例えば再生処理の際に実行したり、単独で実行するようにしても良い。
【０１５８】
さらに上述の実施の形態においては、データベース生成処理によって画像テキストデータベース４２を生成するようにした場合について述べたが、本発明はこれに限らず、例えば、任意に選定された画像テキスト情報ＴＸの内容を的確に表す画像を作画し、この画像から抽出された特徴情報と画像テキスト情報ＴＸとが対応付けられた画像テキストデータベース４２を用いるようにしても良い。
【０１５９】
さらに上述の実施の形態においては、映像コンテンツとして、ビデオカメラで撮像された入力撮像データから入力映像特徴データＴＳを抽出するようにした場合について述べたが、本発明はこれに限らず、例えばテレビジョン放送番組やゲームソフトのプレイ画面などの各種動画データや写真などの静止画像データでなる映像コンテンツからコンテンツ特徴情報を抽出するようにしても良い。
【０１６０】
さらに上述の実施の形態においては、記録済撮像データについてタイトル候補テキストＴＩを表示するようにした場合について述べたが、本発明はこれに限らず、テレビジョン放送番組についても同様のタイトル候補テキストＴＩを表示するようにしても良い。これにより、ハードディスクレコーダ１は、テレビジョン放送番組に予め付加されている既存のタイトルに替えて、表示されたタイトル候補テキストＴＩの中からユーザの好みに合ったタイトルを選択させることができ、テレビジョン放送番組に対しても、簡易な作業でユーザの好みに合ったタイトルを設定させることが可能になる。
【０１６１】
さらに上述の実施の形態においては、記録及び再生機能を有するハードディスクレコーダ１がデータベース生成処理を実行するようにした場合について述べたが、本発明はこれに限らず、映像コンテンツの記録及び再生機能を有するコンピュータや、記録機能のみを有する記録装置、記録機能及び再生機能のみを有する記録再生装置がデータベース生成処理を実行した場合であっても、本実施の形態と同様の効果を得ることができる。
【０１６２】
さらに上述の実施の形態においては、自動的に配信されるテレビジョン放送番組や外部インターフェース１１を介して入力される撮像データを記録するようにした場合について述べたが、本発明はこれに限らず、例えばインターネット経由でダウンロードした映像コンテンツを記録するようにしても良い。
【０１６３】
さらに上述の実施の形態においては、データベース生成プログラム等をＲＯＭ又はハードディスクドライブ４に予め格納するようにした場合について述べたが、本発明はこれに限らず、メモリースティック（ソニー株式会社の登録商標）などの外部記憶媒体からフラッシュメモリ５などにインストールするようにしても良い。また、データベース生成プログラムなどをＵＳＢ（Universal Serial Bus）やＥｔｈｅｒｎｅｔ（登録商標）（Institute of Electrical and Electronics Engineers）８０２．１１ａ／ｂ／ｇなどの無線ＬＡＮ（Local Area Network）を介して外部から取得し、さらには地上ディジタルテレビジョン放送やＢＳディジタルテレビジョン放送により配信されるようにしても良い。
【０１６４】
さらに上述の実施の形態においては、特徴情報抽出部としての画像解析部３１と、任意画像特徴情報検出部としての特徴データ照合部６２と、テキスト取得部としてのテキスト取得部６３とによって内容文字情報取得装置としてのハードディスクレコーダ１を構成するようにした場合について述べたが、本発明はこれに限らず、その他種々の構成でなる特徴情報抽出部と、任意画像特徴情報検出部と、テキスト取得部とによって本発明の内容文字情報取得装置を構成するようにしても良い。
【産業上の利用可能性】
【０１６５】
本発明は、例えば動画コンテンツに対する記録、再生及び編集などの各種処理を実行する種々の情報処理装置に利用することができる。
【図面の簡単な説明】
【０１６６】
【図１】ハードディスクレコーダの全体構成を示す略線的斜視図である。
【図２】データベース生成処理の機能ブロックを示す略線図である。
【図３】テキスト入力画面を示す略線図である。
【図４】キーボード画面を示す略線図である。
【図５】画像テキストデータベースを示す略線図である。
【図６】タイトル候補取得処理の機能ブロックを示す略線図である。
【図７】撮像データ管理リストを示す略線図である。
【図８】タイトル候補テキストの表示を示す略線図である。
【図９】画像テキストデータベース生成処理の説明に供するフローチャートである。
【図１０】タイトル候補表示処理の説明に供するフローチャートである。
【符号の説明】
【０１６７】
１……ハードディスクレコーダ、２……制御部、４……ハードディスクドライブ、５……フラッシュメモリ、１０……リモートコントローラインターフェース、３１……画像解析部、３２……識別子付加部、３３……代表画像選出部、３４……識別子特定部、３５……テキスト付加部、４１……特徴データ記録部、４２……画像テキストデータベース、４３……撮像データ管理リスト、５０……テキスト入力画面、５１……代表画像、７０……撮像データ一覧画面、ＤＰ……再生映像データ、ＤＳ……再生映像特徴データ、ＤＳｒ……代表特徴データ、ＤＳａ……蓄積特徴データ、ＤＳａｎ……最小蓄積特徴データ、Ｔｉｄ……特徴情報識別子、Ｔｉｄｒ……代表特徴情報識別子、ＴＰ……記録映像データ、ＴＳ……記録映像特徴データ、ＴＸ……テキスト。
【図１】
2008109290.tif 000003
【図２】
2008109290.tif 000004
【図３】
2008109290.tif 000005
【図４】
2008109290.tif 000006
【図５】
2008109290.tif 000007
【図６】
2008109290.tif 000008
【図７】
2008109290.tif 000009
【図８】
2008109290.tif 000010
【図９】
2008109290.tif 000011
【図１０】
2008109290.tif 000012